(57)【要約】【課題】容易に抵抗値の微調整を可能とする。【解決手段】検波装置は、可変抵抗器２４と、可変抵抗器２４の固定端子同士を短絡する導体２６と、可変抵抗器２４に接続された回路とを含む。回路は、中間周波用増幅部１０と、中間周波用ＡＧＣ部１２と、高周波用増幅部１４と、高周波用ＡＧＣ部１６と、端子１８と、コンデンサ２０と、端子２２とを含む。中間周波用増幅部１０は、中間周波を増幅する。中間周波用ＡＧＣ部１２は、中間周波用増幅部１０の利得を制御する。高周波用増幅部１４は、ＲＦ信号を増幅する。高周波用ＡＧＣ部１６は、高周波用増幅部１４の利得を制御する。端子１８は、中間周波用ＡＧＣ部１２の時定数を調整するために用いられる。コンデンサ２０は、中間周波用ＡＧＣ部１２に時定数を与える。端子２２は、高周波用ＡＧＣ部１６のカットインレベルを調整するために用いられる。【選択図】図１
2008098233.tif 000002
【特許請求の範囲】
【請求項１】
固定端子同士を短絡した可変抵抗器を回路に接続する接続ステップと、
前記回路に接続された前記可変抵抗器の抵抗値を調整する調整ステップとを含む、装置の製造方法。
【請求項２】
可変抵抗器と、
前記可変抵抗器の固定端子同士を短絡するための短絡手段と、
前記可変抵抗器に接続された回路とを含む装置。
【請求項３】
前記回路は、
アナログ信号を増幅する増幅部と、
前記増幅部の利得を制御する制御部とを含み、
前記可変抵抗器は前記制御部に接続されている、請求項２に記載の装置。
【請求項４】
前記制御部は、入力信号のレベルに応じて前記増幅部の利得を制御する、請求項３に記載の装置。
【発明の詳細な説明】
【技術分野】
【０００１】
本発明は、装置の製造方法および装置に関し、特に、アナログ回路を含む、装置の製造方法および装置に関する。
【背景技術】
【０００２】
従来において、電気回路や電子回路に含まれた可変抵抗器の抵抗値を調整する場合、その抵抗値を調整しようとする者は、抵抗値が所望する値となるように、可動端子（一般に、「スライダ」とも呼ばれる）の接続位置を調整していた。図３は、一般的な検波装置の構成図である。図３を参照して、可変抵抗器の調整の方法を具体的に説明する。図３に示す検波装置の可変抵抗器５０の抵抗値を調整しようとする者は、可変抵抗器５０の可動端子５２の位置を調整する。可動端子５２の接続位置が変化すると、図示しない固定端子と可動端子５２との間の抵抗値が変化する。これにより、可変抵抗器５０の抵抗値は、その者が所望する抵抗値Ｇとなる。
【０００３】
特許文献１は、絶縁基板と、この絶縁基板上に並列的に配設された複数の抵抗層と、これらの抵抗層の同一側に複数の抵抗層を接続するように配設された導体層と、抵抗層のうち少なくとも１つにその抵抗層の導体層側の端から中央部に向かって設けた機能調整用の溝とから構成したことを特徴とする抵抗器を開示する。
【０００４】
特許文献１に開示された発明によると、１つの抵抗器のみで抵抗値調整曲線の変更と抵抗値調整倍率の拡大と中点電位の調整とができる。
【特許文献１】特開平６−２９１１０号公報
【発明の開示】
【発明が解決しようとする課題】
【０００５】
しかし、特許文献１に開示された発明では、可変抵抗器の微調整が必要な場合、コストが増大するという問題点がある。
【０００６】
この問題点について具体的に説明する。通常、可動端子を回転もしくはスライドさせることにより得られる、可変抵抗器の抵抗値のカーブは、可動端子の回転角度もしくはスライド量に対し直線的に変化する。
【０００７】
仮に、可動端子を回転させるタイプの可変抵抗器の抵抗値が１ＫΩであり、可動端子を左一杯に回した時点の可動端子の向きを０°とし、かつ可動端子の向きが０°の向きに対して時計周り方向に２４０°の向きである時点の抵抗値を１ＫΩとする。この場合、固定端子と可動端子との間の抵抗値は、０°で０Ωとなり、１２０°で５００Ωとなり、かつ２４０°で１ＫΩとなる。図４はこの場合の抵抗値と可動端子の向きとの関係を表わす図である。図４は、抵抗値と可動端子の向きとの間に上述した変化があることを裏付けている。ちなみに、「固定端子」とは、可動端子とは異なる、可変抵抗器の端子を意味する。
【０００８】
可動端子をスライドさせるタイプの可変抵抗器も同様である。可変抵抗器の抵抗値が１ＫΩの場合、固定端子と可動端子との間の抵抗値は、可動端子が固定端子の一方の上にある場合が０Ω、可動端子が２つの固定端子の間にある場合が５００Ω、かつ可動端子が固定端子の他方の上にある場合が１ＫΩとなる。
【０００９】
もし電気回路や電子回路に用いられた可変抵抗器の調整に高い精度が求められた場合、上述した抵抗値の特性が原因となって、作業者が何度も可動端子の微調整を繰返すことがある。何度も可動端子の微調整を繰返す作業は、製造工程での作業性に支障を来たす場合がある。作業性に支障を来たすことは、生産コストが増大することを意味する。
【００１０】
従来、このような問題に対処するため、メーカなどは、可変抵抗器の固定端子の一端に更に固定抵抗を接続することを実施していた。図５は、その一例を表わす図である。
【００１１】
たとえば、５００Ω付近の抵抗値が得たいとメーカが考えた場合、抵抗値が１００Ωである可変抵抗５４と抵抗値が４００Ωである固定抵抗５６とを直列に接続する。これらの抵抗が接続されると、可動端子５８を回転もしくはスライドさせることにより、図示しない固定端子と可動端子５８との間の抵抗値を４００Ω〜５００Ωの範囲で調整できる。
【００１２】
しかしながら、この方法を採用すると、本来不必要な抵抗を１点追加しなくてはならない。このことは、次の問題を生じさせる。第１の問題は、コストに対し不利な影響を与えることである。第２の問題は、スペースについて不利な影響が生じることである。第３の問題は、なんらかの要因により抵抗値を変更する必要性が生じても抵抗値を４００Ω以下にすることができないことである。
【００１３】
本発明は上述の問題点を解決するためになされたものであって、その目的は、抵抗値の調整に費やす時間を短縮できる装置の製造方法を提供することにある。
【００１４】
本発明の他の目的は、容易に抵抗値の微調整が可能な装置を提供することにある。
【課題を解決するための手段】
【００１５】
上記目的を達成するために、本発明のある局面に従うと、装置の製造方法は、接続ステップと、調整ステップとを含む。接続ステップは、固定端子同士を短絡した可変抵抗器を回路に接続する。調整ステップは、回路に接続された可変抵抗器の抵抗値を調整する。
【００１６】
本発明の他の局面に従うと、装置は、可変抵抗器と、短絡手段と、可変抵抗器に接続された回路とを含む。短絡手段は、可変抵抗器の固定端子同士を短絡する。
【００１７】
また、上述した回路は、増幅部と、制御部とを含むことが望ましい。増幅部は、アナログ信号を増幅する。制御部は、増幅部の利得を制御する。併せて、可変抵抗器は制御部に接続されていることが望ましい。
【００１８】
もしくは、上述した制御部はオートマチックゲインコントロール回路であることが望ましい。
【発明の効果】
【００１９】
本発明に係る装置の製造方法は、抵抗値の調整に費やす時間を短縮できる。
本発明に係る装置は、容易に抵抗値の微調整ができる。
【発明を実施するための最良の形態】
【００２０】
以下、図面を参照しつつ、本発明の実施の形態について説明する。以下の説明では、同一の部品には同一の符号を付してある。それらの名称および機能も同一である。したがって、それらについての詳細な説明は繰返さない。
【００２１】
図１は、本実施の形態に係る検波装置の構成図である。図１を参照して、検波装置は、中間周波用増幅部１０と、中間周波用ＡＧＣ部１２と、高周波用増幅部１４と、高周波用ＡＧＣ部１６と、端子１８と、コンデンサ２０と、端子２２と、可変抵抗器２４と、導体２６とを含む。
【００２２】
中間周波用増幅部１０は、中間周波を増幅する。中間周波用ＡＧＣ（Automatic Gain Control）部１２は、中間周波用増幅部１０の利得を制御するオートマチックゲインコントロール回路である。高周波用増幅部１４は、図示しない入力端子に入力された高周波信号を増幅する。高周波用ＡＧＣ部１６は、高周波用増幅部１４の利得を制御するオートマチックゲインコントロール回路である。端子１８は、中間周波用ＡＧＣ部１２の時定数を調整するための端子である。コンデンサ２０は、中間周波用ＡＧＣ部１２に時定数を与える。端子２２は、高周波用ＡＧＣ部１６を調整するための端子である。可変抵抗器２４は、端子２２の電位を調整する。本実施の形態の場合、可変抵抗器２４は、後述する可動端子４６の位置と抵抗値とが比例関係にある半固定抵抗すなわちいわゆる「Ｂカーブ」の半固定抵抗である。導体２６は、可変抵抗器２４の複数の固定端子を短絡する。本実施の形態の場合、可変抵抗器２４の固定端子は後述する第１固定端子４２および第２固定端子４４のみなので、導体２６は、第１固定端子４２と第２固定端子４４とを短絡する。
【００２３】
可変抵抗器２４は、抵抗４０と、第１固定端子４２と、第２固定端子４４と、可動端子４６とを含む。
【００２４】
上述したように、第１固定端子４２と第２固定端子４４とを導体２６は短絡する。これにより、第１固定端子４２から可動端子４６までの部分と可動端子４６から第２固定端子４４までの部分とは、並列回路を構成する。本実施の形態において、第１固定端子４２から可動端子４６までの部分を「第１の部分」と称する。本実施の形態において、可動端子４６から第２固定端子４４までの部分を「第２の部分」と称する。
【００２５】
第１固定端子４２と第２固定端子４４との間が導体２６によって短絡されているので、第１固定端子４２と可動端子４６との間の抵抗値Ｈは、式（１）の通りとなる。
【００２６】
Ｈ＝（Ｆ×Ｇ）／（Ｆ＋Ｇ）  ・・・（１）
式（１）を変形すると、以下の式（２）が導き出される。ただし抵抗４０全体の抵抗値をＥとする。
【００２７】
Ｈ＝（Ｆ×Ｇ）／（Ｆ＋Ｇ）
＝｛（Ｅ−Ｇ）×Ｇ｝／｛（Ｅ−Ｇ）＋Ｇ｝
＝｛（Ｅ−Ｇ）×Ｇ｝／Ｅ
＝（Ｇ２−ＥＧ）／（−Ｅ）
＝｛（Ｇ−Ｅ／２）２−（Ｅ２／４）｝／（−Ｅ）  ・・・（２）
図２は、本実施の形態に係る可変抵抗器２４の抵抗値とスライド率との関係を表わす図である。以下の説明において、「スライド率」とは、抵抗値Ｅに対する抵抗値Ｇの割合を意味する。この場合、抵抗値Ｇは、第１の部分の抵抗値を意味する。図２の黒丸は、抵抗値Ｈをスライド率に対してプロットしたものである。黒丸の分布および式（２）は、抵抗値Ｈがスライド率に対して放物線を描くことを意味する。図２の三角形は、次に述べる場合の抵抗４０の抵抗値をスライド率に対してプロットしたものである。その場合とは、第１固定端子４２と第２固定端子４４との間に導線がない場合である。この三角形の分布は、第１固定端子４２と第２固定端子４４との間に導体２６がない場合に、抵抗４０の抵抗値がスライド率に比例することを意味する。
【００２８】
以上のような構造に基づく、可変抵抗器２４の動作について説明する。
図１に示した回路において、可変抵抗器２４は抵抗値を０Ωから５００Ω程度まで調整できる（抵抗４０の抵抗値は２ＫΩである）こととする。第１のステップとして、作業者は、端子２２に、可変抵抗器２４を接続する。この時、作業者は、可変抵抗器２４の可動端子４６を端子２２に接続する。なお、可動端子４６の代わりに、第１固定端子４２または第２固定端子４４が端子２２に接続されたり、導体２６から端子２２に分岐する図示しない導線が端子２２に接続されたりしてもよいことは言うまでもない。第２のステップとして、作業者は、第１固定端子４２を接地する。第１固定端子４２または第２固定端子４４が端子２２に接続されたり、導体２６から端子２２に分岐する図示しない導体が端子２２に接続されたりした場合には、可動端子４６が接地される。第３のステップとして、作業者は、第１固定端子４２と可動端子４６との間に図示しないテスタを接続する。第４のステップとして、作業者は、そのテスタにより抵抗値Ｈを測定しながら、可動端子４６の位置を調整する。
【００２９】
以上のようにして、本実施の形態に係る可変抵抗器は、ある範囲の値となるように抵抗値が調整されると、スライド率の変化に比べ抵抗値の変化がゆるやかになる。抵抗値の変化がゆるやかなので、本実施の形態に係る可変抵抗器は、抵抗値を容易に微調整できる。これにより、本実施の形態に係る可変抵抗器を含む回路やその回路を含む装置を生産する場合、抵抗値の調整に費やす時間を短縮できる。調整作業の効率が格段に向上するためである。調整に費やす時間が短縮されるので、作業のコストも低下する。また、そのような回路や装置を使用している間に可変抵抗器の内部で断線が生じても、回路や装置を完全に使用できなくなる可能性は大幅に低くなる。また、抵抗値をある値以下にできないといった問題は解消される。その問題が解消されると、何らかの要因による抵抗値の変更に対しても、臨機応変に対処することが可能となる。その結果、電気回路や電子回路において、所望する電気的特性を容易に得ることができ、臨機応変な対処を可能とし、かつ耐久性を向上させることができる。
【００３０】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００３１】
【図１】本発明の実施の形態にかかる検波装置の構成図である。
【図２】本発明の実施の形態にかかる可変抵抗器の抵抗値とスライド率との関係を表わす図である。
【図３】従来の一般的な検波装置の構成図である。
【図４】一般的な可変抵抗器の抵抗値と可動端子の向きとの関係を表わす図である。
【図５】改良された可変抵抗器を含む従来の検波装置の構成図である。
【符号の説明】
【００３２】
１０  中間周波用増幅部、１２  中間周波用ＡＧＣ部、１４  高周波用増幅部、１６  高周波用ＡＧＣ部、１８，２２  端子、２０  コンデンサ、２４，５０，５４  可変抵抗器、２６  導体、４０，５６  抵抗、４２  第１固定端子、４４  第２固定端子、４６，５２，５８  可動端子。
【図１】
2008098233.tif 000003
【図２】
2008098233.tif 000004
【図３】
2008098233.tif 000005
【図４】
2008098233.tif 000006
【図５】
2008098233.tif 000007